(57)【特許請求の範囲】
【請求項１】
容器体口頚部外周に嵌合させた装着キャップ２と、該装着キャップ上に嵌着固定するとともに、装着キャップ上端から起立した縦筒17の中間部からシリンダ18を、その上部からは射出筒19をそれぞれ前方へ突設し、且つ、縦筒下部を構成する大径筒部17a にシリンダ内と連通する第１連通孔ｃを、縦筒上部を構成する小径筒部17b にシリンダ内と連通する第２連通孔ｄをそれぞれ穿設してなるポンプ本体４と、射出筒前部に上部を枢着させて揺動可能に垂設したトリガー５と、シリンダ内に押し込み可能に設けるとともに、先端部をトリガー５上部に連係したプランジャ６と、縦筒17内に設けた弁部材７とを備え、該弁部材７は、上記小径筒部17b 内周下端部に外周上端部を密嵌固定させた大径部32a 上面中央より小径部32b を起立させて縦筒内を上下に区画する棒状基部32と、該基部外周下部より突設し且つ外周縁を第１連通孔ｃ下方の大径筒部17a 内周に密嵌させた上向きスカート状の吸い込み弁板33と、上記小径部32b 外周より突設し且つ外周縁を第２連通孔ｄ上方の小径筒部17b 内周に密嵌させた上向きスカート状の吐出弁板34とを備えてなることを特徴とするトリガー式液体噴出ポンプ。
【請求項２】
上記トリガー５が、射出筒前部両側に上部を枢着させて垂下させるとともに、枢着部分より後方へ横長の弾性板24を各々一体に延設し、且つ、各弾性板後部上面を縦筒17両側に形成した係止段部ｅ下面に当接係止させたトリガーであり、上記プランジャ６が、シリンダ内に押し込み可能に設けるとともに、先端部をトリガー５の揺動に合わせた回動が可能にトリガー５上部に連結したプランジャである請求項１記載のトリガー式液体噴出ポンプ。
【発明の詳細な説明】
【０００１】
【発明の属する技術分野】
本発明はトリガー式液体噴出ポンプに関する。
【０００２】
【従来の技術】
トリガー式液体噴出ポンプとして、例えば、容器体口頚部に装着キャップを嵌合させ、また、該キャップ上に嵌着固定するとともに、該キャップ上端から起立した縦筒の中間部からシリンダを、その上端部からは射出筒をそれぞれ前方へ突設してなるポンプ本体を設け、シリンダの前端開口より前方付勢状態で押し込み可能に突設したプランジャの先端にトリガーを連係させ、該トリガーの操作による内蔵ポンプ機構の作用で、容器体内の液を吸い上げて射出筒前端より噴出する如く構成してなるものが知られている。
【０００３】
上記ポンプ機構として、例えば、上記トリガー及びプランジャの存在に加え、縦筒下端に嵌着させた吸い上げパイプを介して容器体内と縦筒内とを連通し、また、縦筒に穿設した連通孔を介してシリンダ内と縦筒内及び射出筒内と縦筒内とをそれぞれ連通させて容器体内より射出筒に至る液流路を形成し、該流路のシリンダ上流に吸い込み弁を、下流に吐出弁をそれぞれ設けて構成したものが挙げられる。
【０００４】
また、上記吸い込み弁として、例えば、縦筒内下部に設けた弁座上に金属製の玉状弁体を載置してなるものが挙げられ、吐出弁として、例えば、縦筒内上端部に嵌着固定した基部下面より弾性板を介して延設した弁板周縁部を、縦筒内上部に形成した上向き段部状の弁座上に圧接して構成したものが挙げられる。
【０００５】
また、従来のこの種ポンプに於けるプランジャの前方への付勢は、一般にシリンダ内に於いてプランジャ後部に介在させた金属製のコイルスプリングにより行われている。即ち、プランジャはコイルスプリングにより常時前方へ押圧され、トリガーを引いてプランジャを押し込むことによりコイルスプリングが圧縮されつつプランジャが後退し、また、トリガーの押圧を解除するとスプリングの弾発力によりプランジャが押し戻される如き前後動を行う。
【０００６】
【発明が解決しようとする課題】
上記従来のポンプでは、吸い込み弁及び吐出弁をそれぞれ独立に形成しているため、構造が複雑化し、組み付け作業も煩雑化する。
また、上記金属製の玉状弁体或いは金属製のコイルスプリングを採用しているものでは、良好な弁孔の密閉性或いは良好なプランジャの復帰機能を発揮してポンプの良好な液注出機能を発揮できるものではあるが、近年の廃棄物処理事情では、金属とプラスチックの分別処理が要望され、従来のものでは、これら玉状弁体或いはコイルスプリングが一般に微細であること、内部に密閉されていること等の理由により分別が極めて困難であった。また、組み立てに際しても、これら玉状弁体、コイルスプリングは微細のため取り扱いが不便であった。
【０００７】
この様な事情を考慮して、玉状弁体、コイルスプリングを金属製からプラスチック製に変える試みも行われている様ではあるが、プラスチック製は金属製に比べて一般に耐久性や弾性復元力に劣る。プラスチック製の玉状弁体は金属製のそれと比較して真球度が得ずらく、また、コイルスプリングにあっては金属製のものと同様の復元力を得ようとすると、その径や太さが大きくならざるを得ず、ポンプ全体の形態或いは大きさに大幅な影響を与え、現状では現実的ではない。
【０００８】
本発明は上記した点に鑑みなされたもので、構造を極力簡単にして組み付け易く、また、金属製部材を極力使用しないで、出来るだけ分別処理を必要としない材質のみで形成することができ、しかも、従来のこの種のポンプの形態を大きく変えることなく形成できるとともに、プランジャの優れた復帰能力を備えたトリガー式液体噴出ポンプを提案するものである。
【０００９】
【課題を解決するための手段】
本請求項１発明のポンプは、上記課題を解決するため、容器体口頚部外周に嵌合させた装着キャップ２と、該装着キャップ上に嵌着固定するとともに、装着キャップ上端から起立した縦筒17の中間部からシリンダ18を、その上部からは射出筒19をそれぞれ前方へ突設し、且つ、縦筒下部を構成する大径筒部17a にシリンダ内と連通する第１連通孔ｃを、縦筒上部を構成する小径筒部17b にシリンダ内と連通する第２連通孔ｄをそれぞれ穿設してなるポンプ本体４と、射出筒前部に上部を枢着させて揺動可能に垂設したトリガー５と、シリンダ内に押し込み可能に設けるとともに、先端部をトリガー５上部に連係したプランジャ６と、縦筒17内に設けた弁部材７とを備え、該弁部材７は、上記小径筒部17b 内周下端部に外周上端部を密嵌固定させた大径部32a 上面中央より小径部32b を起立させて縦筒内を上下に区画する棒状基部32と、該基部外周下部より突設し且つ外周縁を第１連通孔ｃ下方の大径筒部17a 内周に密嵌させた上向きスカート状の吸い込み弁板33と、上記小径部32b 外周より突設し且つ外周縁を第２連通孔ｄ上方の小径筒部17b 内周に密嵌させた上向きスカート状の吐出弁板34とを備えてなることを特徴とするトリガー式液体噴出ポンプとして構成した。
【００１０】
また、請求項２発明のポンプは、上記トリガー５が、射出筒前部両側に上部を枢着させて垂下させるとともに、枢着部分より後方へ横長の弾性板24を各々一体に延設し、且つ、各弾性板後部上面を縦筒17両側に形成した係止段部ｅ下面に当接係止させたトリガーであり、上記プランジャ６が、シリンダ内に押し込み可能に設けるとともに、先端部をトリガー５の揺動に合わせた回動が可能にトリガー５上部に連結したプランジャである請求項１記載のトリガー式液体噴出ポンプとして構成した。
【００１１】
【発明の実施の形態】
以下、本発明の実施例の形態を図面を参照して説明する。
図面に示す如く、本発明のトリガー式液体噴出ポンプ１は、装着キャップ２と、連結筒部材３と、ポンプ本体４と、トリガー５と、プランジャ６と、弁部材７とを備えている。
【００１２】
装着キャップ２は、容器体８の口頚部９に嵌合させてポンプ全体を容器体８に固定させるためのもので、本実施例では、口頚部９に嵌合させる周壁10上端縁より内方へフランジ状頂板11を延設して構成している。
【００１３】
連結筒部材３は、ポンプ本体４と装着キャップ２とを連結させるための部材で、本実施例では、上記頂板11と容器体口頚部９上面との間に挟持するフランジ12を外周より突設した周壁13上端縁より頂壁14を延設するとともに、頂壁14に上端を開口してパイプ嵌合筒15を下方へ垂下している。このパイプ嵌合筒15は、頂壁14の後部を円形状に下方に凹設して形成した嵌合凹部ａ中央に上端を開口して形成している。このパイプ嵌合筒15内にはパイプ16の上端を嵌着し、下端を容器体内に垂下させる。また、頂壁14の上面前部には、外気導入路ｂを形成するための凹溝b1及び該凹溝b1と連通して頂壁14前部に穿設した透孔b2を設けている。
【００１４】
ポンプ本体４は、装着キャップ上に嵌着固定するとともに、装着キャップ上端から起立した縦筒17の中間部からシリンダ18を、その上部からは射出筒19をそれぞれ前方へ突設し、且つ、縦筒17下部を構成する大径筒部17a にシリンダ内と連通する第１連通孔ｃを、縦筒上部を構成する小径筒部17b にシリンダ内と連通する第２連通孔ｄをそれぞれ穿設して構成している。
【００１５】
本実施例では、連結筒部材３の周壁13外周上部に嵌着した嵌合筒20上端より延設した頂板21の後部を貫通して、縦筒17の大径筒部17a の下端部を突出させ、この突出部分を上記嵌合凹部ａ内側面に密嵌させている。また、小径筒部17b の頂板部下面中央より弁部材７の上面を当接係止させるための棒状突起22を垂設している。更に、頂板21と一部を共有するシリンダ18の後部に、上記凹溝b1と連通する透孔b3を穿設し、凹溝b1及び透孔b2と併せて外気導入路ｂを形成している。また、射出筒19の先端にはノズルヘッド23を嵌着固定している。
【００１６】
トリガー５は、射出筒19前部に上部を枢着させて揺動可能に垂設したもので、本実施例では、射出筒19前部両側に上部を枢着させて垂下するとともに、枢着部分より後方へ横長の弾性板24を各々一体に延設し、且つ、各弾性板24後部上面を縦筒17両側に形成した係止段部ｅ下面に当接させて構成している。
【００１７】
本実施例では、上端部内面を各々射出筒19両側に枢着させた縦長の一対の側板25前端縁間をその上部一部を除いて前板26で連結し、また、各側板25の後縁上端部より後方へ各々弾性板24を一体に延設してトリガー５を構成している。
また、上記係止段部ｅは、縦筒17両側上部に突設した一対の突起27下面に形成される下向き段部として構成しているが、単なる下向き段部を係止段部として縦筒両側上部に形成しても良い。
【００１８】
プランジャ６は、シリンダ内に押し込み可能に設けるとともに、先端部をトリガー５上部に連係したもので、本実施例では、シリンダ内に押し込み可能に設けるとともに、先端部をトリガー５の揺動に合わせた回動が可能にトリガー上部に連結して両者を連係させている。本実施例では、シリンダ18内面に摺動可能に嵌合させた環状摺動部28を、後端開口の筒状をなす本体29外周後端部より突設し、本体29前面中央より棒状連結部30を突設して構成している。
【００１９】
プランジャ６とトリガー５との連係は、トリガー前板26裏面上部より後方に突設した柱状突起31後面に球状の嵌合穴ｆを穿設し、プランジャ６先端部の棒状連結部30先端に球状の嵌合部ｇを形成し、該嵌合部ｇを上記嵌合穴ｆ内に回動可能且つ抜け出し不能に強制的に嵌合させることにより、トリガー５の揺動に合わせた回動が可能に連結し、このことにより、プランジャ６が真っ直ぐ押し込まれる如く構成している。これらの連係は上記構成に限らず、例えば、プランジャ先端両側をトリガー両側板の内面にそれぞれ枢着させ、その枢着部の突部が若干の移動が可能な如く、例えば楕円状に凹部を形成することによっても行える。
【００２０】
この様に構成することにより、トリガー操作により押し込まれたプランジャ６の前方復帰を、従来の如き金属製のコイルスプリングを使用せずに行えるが、本発明では、金属製等のコイルスプリングを使用してプランジャを前方付勢させる如く構成しても良い。その際には、射出筒前部に上部を枢着して揺動可能に垂設した通常形態のトリガーを使用すれば良い。
【００２１】
そして、図１の状態から弾性板24を弾性変形させつつトリガー５を手前に引くと、連結部分を介して押圧されたプランジャ６が後方へ押し込まれ、次いでトリガー５の押圧を解除することにより、弾性板24の弾性復元力によりトリガー５が前方元の状態に復帰するとともに、プランジャ６が前方へ引き戻されて元の状態に復帰する如く構成している。
【００２２】
弁部材７は、小径筒部17b 内周下部に外周上部を密嵌固定させた大径部32a 上面中央より小径部32b を起立させて縦筒17内を上下に区画する基部32と、該基部32外周下部より突設し、且つ、外周縁を第１連通孔ｃ下方の大径筒部17a 内周に密嵌させた上向きスカート状の吸い込み弁板33と、上記小径部32b 外周より突設し、且つ、外周縁を第２連通孔ｄ上方の小径筒部17b 内周に密嵌させた上向きスカート状の吐出弁板34とを備えている。
【００２３】
本実施例では、基部32は上端部が縮径した下端面開口の中空棒状をなし、縦筒17の底面を構成する連結筒部材３の頂壁14上面に、パイプ嵌合筒15の上端開口を囲繞して、下面より周方向複数突設した支持足35の下面を当接させ、各支持足35間の隙間を液流通孔ｈとして構成している。また、小径部32b の上面を上記棒状突起22下面に当接させている。
【００２４】
上記の如く構成したポンプを使用する場合について説明すると、トリガー５を手前に引くとプランジャ６が後方へ移行し、シリンダ18内の液が加圧されて吐出弁板34をすぼめる如く弾性変形させる。加圧液は変形した吐出弁板34と縦筒17との隙間より上方へ移行し、射出筒19を介してノズルヘッド23の噴出口より噴出される。次いでトリガー５の押圧を解除すると、各弾性板24の弾性復元力によりトリガー５が元の状態に復帰し、それに伴ってプランジャ６が引き戻され元の状態に復帰する。この際、シリンダ18内はプランジャ６が前方へ移行するため負圧化し、吐出弁板34が元の状態に復元するとともに、吸い込み弁板33はすぼむ如く弾性変形し、パイプ16を介して導入された容器体内の液を、その隙間を介してシリンダ18内へ導入する。また、液の減少に伴い負圧化する容器体内へは上記外気導入路ｂを介して外気が導入される。
尚、図中36はポンプ本体に嵌着したカバーを示す。また、上記各部材は全て合成樹脂を使用して形成することができ、必要に応じてエラストマー等を併用して形成することができる。
【００２５】
【発明の効果】
以上説明した如く本発明トリガー式液体噴出ポンプは、既述構成としたことにより、特に、小径筒部17b 内周下端部に外周上端部を密嵌固定させた大径部32a 上面中央より小径部32b を起立させて縦筒内を上下に区画する棒状基部32と、該基部外周下部より突設し且つ外周縁を第１連通孔ｃ下方の大径筒部17a 内周に密嵌させた上向きスカート状の吸い込み弁板33と、上記小径部32b 外周より突設し且つ外周縁を第２連通孔ｄ上方の小径筒部17b 内周に密嵌させた上向きスカート状の吐出弁板34とを備えてなる弁部材７を設けているため、該弁部材を装着することにより、吸い込み弁及び吐出弁を一遍に形成することができ、組み付けを極めて単純化するとともに、従来の様な金属製の玉状弁体を使用しないで、極めて良好な弁機能を発揮できるものである。
【００２６】
また、射出筒前部両側に上部を枢着させて垂下させるとともに、枢着部分より後方へ横長の弾性板24を各々一体に延設し、且つ、各弾性板後部上面を縦筒17両側に形成した係止段部ｅ下面に当接係止させたトリガー５と、シリンダ内に押し込み可能に設けるとともに、先端部をトリガー５の揺動に合わせた回動が可能にトリガー５上部に連結したプランジャ６とを備えたものにあっては、従来の如き金属製のコイルスプリングを使用しないで済み、しかも、プランジャの円滑な往復動を行える。従って、全体として金属部材を使用しないで形成できる利点がある。
【図面の簡単な説明】
【図１】本発明トリガー式液体噴出ポンプの一実施例を示す縦断面図である。
【符号の説明】
２…装着キャップ，４…ポンプ本体，５…トリガー，６…プランジャ，
17…縦筒，17a …大径筒部，17b …小径筒部，18…シリンダ，19…射出筒，
24…弾性板，32…基部，32a …大径部，32b …小径部，33…吸い込み弁板，
34…吐出弁板，ｃ…第１連通孔，ｄ…弾２連通孔，ｅ…係止段部
【図１】
0003647614.tif 000002